(57)【要約】【課題】次世代ＤＶＤを含めた互換性を有する光情報記録再生装置を提供する。【解決手段】記録及び再生を行う第１の半導体レーザと、前記第１の半導体レーザの波長以上の波長を放射し再生のみを行う第２の半導体レーザと、を備え、前記第２の半導体レーザは、光ディスク再生時の最小Ｔ（Ｔは１チャンネルピット長の時間幅）を２以上の整数で除算した数値より小なるクロック周期によりパルス駆動されることを特徴とする光情報記録再生装置を提供する。【選択図】図１
2007179603.tif 000002
【特許請求の範囲】
【請求項１】
記録及び再生を行う第１の半導体レーザと、
前記第１の半導体レーザの波長以上の波長を放射し再生のみを行う第２の半導体レーザと、
を備え、
前記第２の半導体レーザは、光ディスク再生時の最小Ｔ（Ｔは１チャンネルピット長の時間幅）を２以上の整数で除算した数値より小なるクロック周期によりパルス駆動されることを特徴とする光情報記録再生装置。
【請求項２】
記録及び再生を行う第１の半導体レーザと、
前記第１の半導体レーザの波長以上の波長を放射し再生のみを行う第２の半導体レーザと、
光ディスクからの反射ビームを検出する受光素子と、
前記受光素子により変換された電気信号が入力される低域通過フィルタと、
を備え、
前記第２の半導体レーザは、光ディスク再生時の最小Ｔ（Ｔは１チャンネルピット長の時間幅）を２以上の整数で除算した数値より小なるクロック周期によりパルス駆動され、
前記低域通過フィルタは、前記第２の半導体レーザをパルス駆動するクロック周波数の２分の１以下の遮断周波数を有することを特徴とする光情報記録再生装置。
【請求項３】
演算器をさらに備え、
前記演算器は、前記受光素子と前記低域通過フィルタとの間か、または前記低域通過フィルタの出力端子側に接続されたことを特徴とする請求項２記載の光情報記録再生装置。
【請求項４】
記録及び再生を行う第１の半導体レーザと、
前記第１の半導体レーザの波長以上の波長を放射し再生のみを行う第２の半導体レーザと、
光ディスクからの反射ビームを検出する受光素子と、
を備え、
前記第２の半導体レーザは、光ディスク再生時の最小Ｔ（Ｔは１チャンネルピット長の時間幅）を２以上の整数で除算した数値より小なるクロック周期によりパルス駆動され、
前記受光素子は、前記第２の半導体レーザをパルス駆動するクロック周波数の２分の１以下の遮断周波数を有することを特徴とする光情報記録再生装置。
【請求項５】
前記第２の半導体レーザは、記録変調方式にもとづくチャネルクロック周期の正の整数倍であるクロック周期によりパルス駆動されることを特徴とする請求項１〜４のいずれか１つに記載の光情報記録再生装置。
【請求項６】
前記第２の半導体レーザからのパルス発光出力を高速モニタダイオードによりサンプリングすることにより所定のパルス発光出力に自動制御することを特徴とする請求項１〜５のいずれか１つに記載の光情報記録再生装置。
【請求項７】
前記第２の半導体レーザからのパルス発光出力をモニタダイオードにより受光し平均値により所定のパルス発光出力に自動制御することを特徴とする請求項１〜５のいずれか１つに記載の光情報記録再生装置。
【請求項８】
光ディスク上のピットエッジで発生されたサンプリング基準信号を検出することにより制御されたことを特徴とする請求項１〜７のいずれか１つに記載の光情報記録再生装置。
【請求項９】
前記第２の半導体レーザからのパルス発光ビームの反射光の受光信号によりピットの有無を判別し、ハルス波形がゼロ区間、ピットがある場合に続くサンプリング期間もピットがあると予測することを特徴とする請求項１〜８のいずれか１つに記載の光情報記録再生装置。
【発明の詳細な説明】
【技術分野】
【０００１】
本発明は、光情報記録再生装置に関し、より詳細には、光ディスクを記録媒体とする光情報記録再生装置に関する。
【背景技術】
【０００２】
ＤＶＤ（Digital Versatile Disc）とＣＤ（Compact Disc）との互換性を有した光情報記録再生装置は広く普及している。更なる大容量光情報記録再生装置として青色半導体レーザを用いた次世代ＤＶＤが開発されている。この場合、次世代ＤＶＤとの互換性をさらに備えた光情報記録再生装置が強く要求される。
【０００３】
次世代ＤＶＤにおける１５ギガバイト（１層）以上の記録容量を実現するために、中心波長が４０５ナノメータ近傍である青色半導体レーザ、高開口数（例えば０．６５〜０．８５）を有する対物レンズ（ＯＬ）を用いる光学系、映像符号化方式などが必要であり、開発が進められている。
【０００４】
記録容量を大とするために、半導体レーザの波長を４０５ナノメータとし高開口数である対物レンズを用いることにより、半導体レーザスポット径を小としている。このような対物レンズを共通に含み、さらにＤＶＤやＣＤなどの光ディスクとの互換性を確保するためには、光学系が複雑となる。開口制限、収差補正、波長の異なる半導体レーザ光を反射および透過により光路変更させるビームスプリッタなどが必要となる。これら光学部品要素を透過する度に光の減衰を生じるので、光学系が複雑になるほど光ディスク上に到達し、その後反射されて再生用である光検出器への入射光が小となる。
【０００５】
この場合、全ての規格の光ディスクにおいて記録が必要とは限らない。そこで、再生専用の光ディスク規格に対応する半導体レーザにおいては、再生用途に必要な光出力があればよい。この場合、次世代ＤＶＤとの互換性を確保するために配置される光学部品による光の減衰が大となり、従来の半導体レーザでは光出力が不足することがある。しかし、新たにより高出力の半導体レーザを設計することは可能であるが、現在の半導体レーザを例えばパルス駆動などにより使いこなすことができればより合理的である。
【０００６】
半導体レーザをパルス駆動することにより、より高出力を得る技術開示例がある（特許文献１）。
【特許文献１】特開２００１−３３１９６０号公報
【発明の開示】
【発明が解決しようとする課題】
【０００７】
しかし、前述の開示例においては、パルス駆動により平均消費電力を低減し電池をより長時間使用可能としたものであり、高出力を得るためのものではない。  
本発明は、この点に鑑みてなされたものであり、次世代ＤＶＤを含めた互換性を有する光情報記録再生装置を提供することを目的とする。
【課題を解決するための手段】
【０００８】
本発明の一態様によれば、記録及び再生を行う第１の半導体レーザと、前記第１の半導体レーザの波長以上の波長を放射し再生のみを行う第２の半導体レーザと、を備え、前記第２の半導体レーザは、光ディスク再生時の最小Ｔ（Ｔは１チャンネルピット長の時間幅）を２以上の整数で除算した数値より小なるクロック周期によりパルス駆動されることを特徴とする光情報記録再生装置が提供される。
【０００９】
また、本発明の他の一態様によれば、記録及び再生を行う第１の半導体レーザと、前記第１の半導体レーザの波長以上の波長を放射し再生のみを行う第２の半導体レーザと、光ディスクからの反射ビームを検出する受光素子と、前記受光素子により変換された電気信号が入力される低域通過フィルタと、を備え、前記第２の半導体レーザは、光ディスク再生時の最小Ｔ（Ｔは１チャンネルピット長の時間幅）を２以上の整数で除算した数値より小なるクロック周期によりパルス駆動され、前記低域通過フィルタは、前記第２の半導体レーザをパルス駆動するクロック周波数の２分の１以下の遮断周波数を有することを特徴とする光情報記録再生装置が提供される。
【００１０】
また、本発明の他の一態様によれば、記録及び再生を行う第１の半導体レーザと、前記第１の半導体レーザの波長以上の波長を放射し再生のみを行う第２の半導体レーザと、光ディスクからの反射ビームを検出する受光素子と、を備え、前記第２の半導体レーザは、光ディスク再生時の最小Ｔ（Ｔは１チャンネルピット長の時間幅）を２以上の整数で除算した数値より小なるクロック周期によりパルス駆動され、前記受光素子は、前記第２の半導体レーザをパルス駆動するクロック周波数の２分の１以下の遮断周波数を有することを特徴とする光情報記録再生装置が提供される。
【００１１】
以上のように、第１の半導体レーザにおいては記録及び再生が行われる。第１の半導体には、例えば４０５ナノメータ帯の青色半導体レーザが選択される。そして、第２の半導体レーザには６５０、または７８０ナノメータ帯の半導体レーザが選択され、再生専用とされる。このような互換すべき光ディスクが多岐にわたるために、光学部品が増加して光損失が増える。この結果、第２の半導体レーザの光出力がＣＷ動作では不足する。この出力不足を補うためにパルス駆動をさせ、ＣＷ時最大定格以上のピーク光出力を確保する。
【００１２】
この場合、受光素子へはパルス光信号が入力される。これを連続的な電気信号へと変換するために、低域通過フィルタを用いたり、または受光素子の遮断周波数を低くする方法を用いる。
【００１３】
以上のようにして、半導体レーザのＣＷ最大定格を変更することなく再生専用に必要なピーク光出力を確保でき、受信信号も低域通過により連続性を持たせることができる。この結果、次世代ＤＶＤを含めた互換性を有する光情報記録再生装置が実現できる。
【発明の効果】
【００１４】
本発明により、次世代ＤＶＤを含めた互換性を有する光情報記録再生装置が提供される。
【発明を実施するための最良の形態】
【００１５】
以下、図面を参照しつつ本発明の実施の形態について説明する。なお、各図において同様の構成要素には同一の番号を付して詳細な説明を省略する。  
図１は、本発明の第１具体例にかかる光情報記録再生装置のうち再生部の要部を表すブロック図である。  
再生専用として、例えばＣＤやＤＶＤなどの光ディスク規格に対応する波長の半導体レーザ１０は、ＬＤパルス駆動回路５４により駆動される。なお、駆動条件に関しては後に詳細に説明する。
【００１６】
半導体レーザ１０からのパルス出力であるビームは、ハーフミラー１２などにより分岐されてモニタダイオード１４に入射後、電流に変換されてサンプリング回路５０へ入力される。サンプリング回路５０は、入力されたパルスのピーク値を検出する。サンプリング回路５０の出力は、ＡＰＣ（Automatic Power Control）回路５６へ入力されて、半導体レーザ１０のパルス出力が所定値に保つようにＬＤパルス駆動回路５４を制御する。  
所定のパルス出力である半導体レーザ１０からのビームは対物レンズ１６により収束されて光ディスク１８上にスポットを形成する。光ディスク１８から反射されたビームは光学系を戻った後、多分割領域からなる受光素子２０へ入射する。この受光素子２０は、フォーカシングエラー（ＦＥ），トラッキングエラー（ＴＥ），ＲＦ信号をそれぞれ検出するために多分割領域から構成されている。
【００１７】
多分割領域へ入射したビームは電気信号へ変換されたのち、所定の演算式に従って演算器３０により演算が実行される。コイル２２を光ディスク１８に対して垂直方向に移動させ、合焦点においてＦＥの演算結果をもとにフォーカスサーボをＯＮとする。同様に、ＴＥの演算結果をもとにトラッキングサーボをＯＮとする。この後、回転している光ディスク１８からＲＦ信号が取り込まれる。
【００１８】
本具体例においては、各演算器３０へは光ディスク１８上の情報信号がそれぞれに入力される。この場合、受光素子２０への入力はパルスであるために、各演算器３０のあとにＬＰＦ（Low Pass Filter）３２を挿入して信号を平滑化後、各ＶＣＡ（Voltage Controlled Amplifier）３４へ入力する。各ＶＣＡ３４の出力はディジタルイコライザ３６へ入力された後、出力がＰＷＭ３８へと送られる。この場合、ＬＰＥ３２の遮断周波数は、ＬＤ駆動パルスのクロック周波数の２分の１以下とすることが好ましい。
【００１９】
ＰＷＭ３８からは、フォーカシング信号（ＦＯＣＳ）がコイル２２へ、トラッキング信号（ＴＲＫＧ）がコイル２４へ出力される。またスピンドルモータ制御信号（ＳＰＤＬ）及びＣＡＲＧ信号が出力される。
【００２０】
ＰＬＬ（Phase-Locked loop）４０と接続される変調器４２は、例えばＣＤの場合には８−１４変調と呼ばれるＥＦＭ（Eight to Fourteen Modulation）による符号記録化方式に相当した変調器が用いられる。
【００２１】
また、ディスク判別するための信号がＦＥ，ＴＥ，ＲＦからディスク判別回路４４で生成されＣＰＵ（Central Processing Unit）４６へ入力される。ＣＰＵ４６はさらにサーボコントローラ５２、ＬＤパルス駆動回路５４、ＲＡＭ（Random Access Memory）４８などに接続されて、光情報記録再生装置全体を制御する。
【００２２】
次に、半導体レーザ１０のパルス駆動条件について説明する。  
一般に、中心波長が６５０ナノメータであるＤＶＤ用途及び中心波長が７８０ナノメータであるＣＤ（またはＣＤ−ＲＯＭ）用途における再生専用半導体レーザの最大定格出力は５ミリワットもしくは７ミリワット以下である。ＤＶＤ、ＣＤ、及びこれらの互換光ディスク規格において、この最大定格出力で光ピックアップが実現可能であった。
【００２３】
例えば、ＣＤ用途の７８０ナノメータの場合、各光学部品に対する７８０ナノメータ光の透過率をそれぞれ７０％とし、光学部品数を５個とする。このとき対物レンズ後で、反射率の低いＣＤ，ＲＷにも対応するとしてＣＷ＝０．５ｍＷを得るためには、Ｐ１（ｍＷ）＝０．５／（０．７×０．７×０．７×０．７）＝４．２５なる光出力が必要である。これは、最大定格が５ミリワットであれば充分可能であった。
【００２４】
ところが近年、中心波長が４０５ナノメータである次世代ＤＶＤを含めた互換光学系光情報記録装置が要求されるようになった。この場合、３波長全てに対して透過率を高く維持することは極めて困難である。例えば、４０５ナノメータにおいて９０％の透過率であるように設計しても、７８０ナノメータにおいては５０％となることが多い。またそれぞれの波長に対して位相などを合わせる必要があり、各波長において通過する光学部品数は必然的に増加する。
【００２５】
例えば、７８０ナノメータ波長を５ミリワット出力で用いる場合、通過する光学部品数が６個であり、透過率がそれぞれ７０，６０、７０、５０，７０，６０％とする。Ｐ２（ｍＷ）＝５×０．７×０．６×０．７×０．５×０．７×０．６＝０．３１となる。この光出力では、再生が充分にできない場合が生じる。光ディスク上で再生を行うのに０．５ミリワットが必要とすれば、Ｐ３（ｍＷ）＝０．５／（０．７×０．６×０．７×０．５×０．７×０．６）＝８．１となり、最大定格出力が７ミリワットである再生用半導体レーザでは不十分となる。もし、ＣＷ出力＝８ｍＷで使用すると、半導体レーザ端面において温度上昇などによりＣＯＤ（Catastrophic Optical Damage）が起こりやすくなり、半導体レーザの性能が安定せず、かつ半導体レーザの寿命を短くする可能性がある。
【００２６】
最大定格出力がより大である半導体レーザを用いれば解決するが、これまでの半導体レーザを使用することができれば、価格的に極めて有利である。
【００２７】
半導体レーザ端面におけるＣＯＤなどを抑制してより高出力を得るためには、適正な条件において半導体レーザをパルス駆動することが好ましい。（この場合、受光素子からの出力がパルスとなるので光情報装置を構成する信号処理を含む回路を新たに設計することが必要である。）  
図２は、パルス駆動条件の一例を表すグラフ図である。  
ＣＷ出力＝５ｍＷの出力であった半導体レーザを、パルス駆動により、例えば約１０ｍＷのパルス出力Ｐpulseとする。この場合、ＣＷ最大定格出力Ｐｃｗが５ミリワットであっても下記条件のパルス駆動によりＣＷ最大定格以上とできる。これは、パルス駆動により温度上昇が抑制されパルスのＣＯＤがより高くできることなどの理由による。
【００２８】
パルスのクロック周期ｔＬＤは、記録変調方式に基づくチャネルクロック周期の正の整数倍とすることができる。またクロック周期ｔＬＤは、ディスク倍速時の２Ｔの２より大きい整数分の１以下などとすることが好ましい。ここで、Ｔはチャンネルピット長の時間幅である。３Ｔは図３のように、光ディスクの倍速数により異なるが約１４乃至約６９４ナノ秒の範囲である。また、図３のように、レーザを駆動するパルスの立ち上がりは、ディスクに記録されている信号のピットのエッジを検出し、ピットエッジに図示しない回路で同期させることも可能である。
【００２９】
ここで、再び光ディスクからの信号を読み取る場合の動作についてより詳細に説明する。  図４は、そのフロー図である。光情報記録再生装置無いの光ピックアップ８は光ディスク１８の内周に移動する（ステップＳ２００）。  半導体レーザ１０にはパルス電圧が印加される（ステップＳ２０２）。フォーカスコイル２２を光ディスク１８と垂直方向へ上下させて光ディスク１８からの反射光を受光素子２０で検出させる（ステップＳ２０４）。
【００３０】
多分割領域へそれぞれ入射したビームから変換された電流を演算してＦＥ，ＴＥ，ＲＦ信号を求める。このとき、ＦＥレベルにより光ディスクが装置にセットされたか否かを判別する（ステップＳ２０６）。ＮＯであれば、光ディスク１８を挿入する。
【００３１】
ＹＥＳであれば、ＦＥのピーク値を読み取り設定値との比較によりＶＣＡの利得を調整する（ステップＳ２１０）。続いて合焦点でフォーカスサーボをＯＮとする（ステップＳ２１２）。
【００３２】
続いてスピンドルモータを回転して（ステップＳ２１４）、ＴＥのピーク値を読み取り設定値との比較によりＶＣＡ３４の利得を調整する（ステップＳ２１６）。トラッキングサーボをＯＮとしオントラックになったらＯＦＦとする（ステップＳ２１８）。続いてＲＦ信号を取り込み（ステップＳ２２０）、再生手続きの準備が終了する。
【００３３】
図５は、第１具体例の第１変形例を表すブロック図である。  
光ディスク１８の種類によって、半導体レーザ１０をパルス駆動するか否かをＣＰＵ４６で判別し、半導体レーザ１０の光出力が大である必要がある時にのみパルス駆動させて再生する。この場合、図４におけるスイッチ６０をＬＰＦ３２の出力端子側に接続すればよい。一方、光ディスク１８の判別時を含めてパルス駆動する必要がない場合はスイッチ６０を演算器３０の出力端子と接続する。このようにすれば、光ディスク１８の種々の規格に対してＬＰＥを通す必要のある信号のみをＬＰＥを通して、最適なＲＦ信号、ＦＥ，ＴＥの検出方法を選択することができる。
【００３４】
図６は、第２具体例にかかる光情報記録装置の再生部要部を表すブロック図である。  
この場合、受光素子２０を構成する多分割領域からの電気信号がそれぞれのＬＰＦ３２へ入力される。本図においては、主としてＦＥを検出するために中央部近傍に設けられた４分割領域からの４信号と、主としてＴＥを検出するために４分割領域の両端に設けられた２個の領域からの２信号との合計６信号がそれぞれＬＰＦへ入力されている。ＬＰＦの出力は演算器３０へと入力される。この場合、破線で示される演算回路への入力は上記６信号の中から、エラー検出方法にもとづいて選択することができる。本具体例においても、ＬＰＦ３２によりパルス信号が平滑化され、その後演算器３０に入力される。また、インダクタンス（Ｌ）及びキャパシタ（Ｃ）により構成されるＬＰＦを受光素子２０と共に集積化したＯＥＩＣ（Opto-Electric Integrated Circuit）とすると小型化、高性能化が可能となる。  また、再生用の半導体レーザからのパルス発光ビームの反射光の受信信号によりピットの有無を判別し、パルス波形がゼロ区間、ピットがある場合に続くサンプリング期間もピットがあると予測することでＬＰＥを省くことも可能である。
【００３５】
以上の具体例においては、ＬＰＦによりパルス信号を平滑化した。しかしこれ以外の手段でもパルス信号の平滑化が可能である。  
図７は、第３具体例にかかる光情報記録装置の再生部要部を表すブロック図である。  
本具体例においては、受光素子２０の周波数帯域を、図８のように駆動パルスのクロック周波数の２分の１以下とする。このように受光素子２０を狭帯域とすることにより、パルス信号と比べて連続性を持った信号とすることができる。また、さらにＬＰＦを併用することもできるが、この場合のＬＰＦは第１具体例におけるものと比較して、段数が低減されたＬＰＦでよい。この結果、価格の低減が可能となる。
【００３６】
さらに、モニタダイオード１４においても、周波数帯域を例えば駆動パルスのクロック周波数の２分の１以下とすることにより、サンプリング回路５０を不要とできる。
【００３７】
図９は、パルス駆動半導体レーザを用いた図１に例示される再生部を備えた光情報記録再生装置をあらわす模式図である。  
本図において、半導体レーザは例えば中心波長が７８０または６５０ナノメータでありパルス駆動される。図１における半導体レーザのチップ８０、受光素子のチップ９４、回折格子９２などが同一パッケージの中に配置されたホログラムユニット９６となっているが、再生専用機能を有した光ピックアップ９は図１に例示された光ピックアップ８とほぼ同様の機能を有する。
【００３８】
さらに、青色半導体レーザ８２からのレーザ光がプリズム８８を通過した後、コリメータレンズ８６及びホログラム素子９０により開口制限を行い対物レンズ１６により集光され光ディスク１８へ入射する。一方、７８０または６５０ナノメータ半導体レーザまたは７８０かつ６５０ナノメータの２波長半導体レーザは、プリズム８８を通過した後、コリメータレンズ８６及びホログラム素子９０により開口制限を行い、さらに各ディスクのカバー厚０．６ｍｍ、１．２ｍｍに合わせて集光角度を変え、対物レンズ１６により集光され光ディスク１８へ入射する。６５０または７８０ナノメータの反射光は、プリズム８８を介しホログラムユニット９６へ戻り、回折格子９２で回折、分光され受光素子９４に入射する。青色光はプリズム８８により折り曲げられて受光素子であるＯＥＩＣ８４へと入射する。この場合、例えば青色光は記録及び再生を行うが、ＣＤ（ＣＤ−ＲＯＭなどを含む）用の７８０ナノメータまたはＤＶＤ用の６５０ナノメータにおいては、再生専用とする。
【００３９】
本図において青色半導体レーザ８２（４０５ナノメータ）を用いた次世代ＤＶＤ規格との互換性を確保するために、プリズム８８、開口制限素子９０などの光学部品があらたに必要となる。さらに各素子は、４０５、６５０、７８０ナノメータの３波長を透過あるいは反射させる必要がある。このため、各波長に対して透過率、反射率を最適化することは難しく、どれか１つの波長もしくは２つの波長を優先して最適化し設計することが少なくなく、各波長に対する反射率、透過率が低下する。この結果、光ディスク１８上において７８０または６５０ナノメータ帯の光出力がＣＷ動作では不足する。しかしホログラムユニット９６に配置された半導体レーザはパルス駆動され、そのパルスピーク光出力はＣＷ駆動時の最大定格光出力より大とすることにより再生に充分なパルスピーク光出力が確保できる。
【００４０】
また、光ディスク上のピットエッジで発生されたサンプリング基準信号を検出することにより、第１乃至第３の具体例の再生部を備えた光情報記録再生装置が提供される。
【００４１】
また、第２の半導体レーザからのパルス発光ビームの光ディスク反射光を受光素子２０で受光する。この受光信号によりピットの有無を判別し、ピットがある場合に続くサンプリング期間もピットがあると予測し誤検出を防止する再生部を備えた光情報記録再生装置が提供される。  
以上、図面を参照しつつ本発明の実施の形態について説明した。しかし、本発明はこれら具体例に限定されるものではない。  
例えば、光情報記録再生装置を構成する、半導体レーザ、ＬＰＦ，ＬＤパルス駆動回路、光学部品、受光素子などの構成要素におけるサイズ、形状、配置などに関し当業者が行う各種設計変更なども、本発明の要旨を逸脱しない限り本発明に包含される。
【図面の簡単な説明】
【００４２】
【図１】本発明の第１具体例にかかる光情報記録再生装置の再生部を表すブロック図である。
【図２】半導体レーザのパルス駆動条件を説明する模式図である。
【図３】半導体レーザの駆動パルスを説明する模式図である。
【図４】光ディスクからの信号を読み取るフロー図である。
【図５】第１具体例における第１変形例を表すブロック図である。
【図６】第２具体例にかかる光情報記録再生装置を表すブロック図である。
【図７】第３具体例にかかる光情報記録再生装置を表すブロック図である。
【図８】第３具体例にかかる半導体レーザの駆動パルスを説明する摸式図である。
【図９】本発明の具体例にかかる互換系光情報記録再生装置を表すブロック図である。
【符号の説明】
【００４３】
８  光ピックアップ
１０  半導体レーザ
１４  モニタダイオード
１６  対物レンズ
１８  光ディスク
２０  受光素子
３０  演算器
３２  ＬＰＦ
【図１】
2007179603.tif 000003
【図２】
2007179603.tif 000004
【図３】
2007179603.tif 000005
【図４】
2007179603.tif 000006
【図５】
2007179603.tif 000007
【図６】
2007179603.tif 000008
【図７】
2007179603.tif 000009
【図８】
2007179603.tif 000010
【図９】
2007179603.tif 000011